Podtech/llm-jp-corpus-v4-ja_patent huggingface dataset:
【手続補正書】
【提出日】平成22年3月1日(2010.3.1)
【手続補正１】
【補正対象書類名】特許請求の範囲
【補正対象項目名】全文
【補正方法】変更
【補正の内容】
【特許請求の範囲】
【請求項１】
試験装置（２）からモバイル通信ユニット（３）へ情報を伝送信号として送信するために与えられる該試験装置（２）と該モバイル通信ユニット（３）の間に設置される一方向通信路(６、７)を有する該モバイル通信ユニット（３）の受信機性能を試験するためのシステムであって、  該モバイル通信ユニット（３）によって受信伝送信号から解析される、有り得るエラー部分を除いては、試験装置（２）からの情報と同じ情報を含む情報から発生させられる返信伝送信号を送信するための独立通信路（１４）が該モバイル通信ユニット（３）と該試験装置（２）の間に与えられ、そして該試験装置（２）が該一方向通信路（６、７）を通じて送信される情報と返信伝送のための独立通信路（１４）を通じて受信される情報とを比較するための比較ユニット（１６）を含むことを特徴とするシステム。
【請求項２】
前記モバイル通信ユニット（３）が、既存の独立通信路（１４）を経由して前記伝送信号から解析される情報を返信伝送信号として返信するための折返し構成要素（９）を含むことを特徴とする、請求項１に記載のシステム。
【請求項３】
前記モバイル通信ユニット（３）が、独立通信路（１４）を確立し、前記伝送信号から解析される情報を返信伝送信号としてこの独立通信路（１４）を経由して返信するための折返し構成要素（９）を含むことを特徴とする、請求項１に記載のシステム。
【請求項４】
前記試験装置（２）が、前記一方向通信路（６、７）を通じて送信される情報の結果として生じる、前記モバイル通信ユニット（３）によって送信されるいかなる信号の特性をも測定する測定手段を含むことを特徴とする、請求項１から３のいずれかに記載のシステム。
【請求項５】
前記試験装置（２）が、エラーの統計的計算及び前記比較ユニット（１６）の出力の解析をするための解析ユニットを含むことを特徴とする、請求項４に記載のシステム。
【請求項６】
一方向通信路（６、７）を通じて情報を受信するための受信機（８）及び送信機（１３）を含むモバイル通信ユニットであって、  該モバイル通信ユニット（３）が、該受信機（８)を該送信機(１３)に連結し、該一方向の通信路（６、７）を通じて受信される伝送信号から解析される、有り得るエラー部分を除いては、該一方向の通信路（６、７）によって該受信機（８）に送信される情報と同じ情報を含む情報を独立返信伝送通信路（１４）を通じて送信させるように該送信機（１３）を制御するための、折返し構成要素（９）を含むことを特徴とするモバイル通信ユニット。
【請求項７】
前記モバイル通信ユニット（３）によって確立された既存の独立返信伝送通信路（１４）が、前記一方向の通信路（６，７）を通じて受信される伝送信号から解析される情報を返信伝送するために、前記折返し構成要素（９）によって選択可能であることを特徴とする、請求項６に記載のモバイル通信ユニット。
【請求項８】
前記折返し構成要素（９）が独立返信伝送通信路（１４）を確立することができることを特徴とする、請求項６に記載のモバイル通信ユニット。
【請求項９】
情報（２０）及び該情報を含む伝送信号（２１）を試験装置（２）によって発生させる工程、  該伝送信号を供試のモバイル通信ユニット(３)に一方向の通信路（６、７）を経由して送信する工程、  該伝送信号を受信しそして解析し（２２）、該伝送信号に含まれている情報を得る工程、  該供試のモバイル通信ユニット（３）によって、該伝送信号から解析される、有り得るエラー部分を除いては、該情報（２０）と同じ情報を含む情報を返信伝送信号として独立返信伝送通信路（１４）を経由して返信する（２７）工程、及び  該試験装置（２）によって該返信伝送信号を受信しそして解析し（２８）、該返信伝送信号に含まれる情報を得そして該返信伝送信号から解析される情報と発生させた情報とを比較する（２９）工程を含む、該モバイル通信ユニット（３）の受信機性能を試験する方法。
【請求項１０】
前記独立返信伝送通信路（１４）が、前記モバイル通信ユニット（３）から試験装置（２）へデータを送信できる、既に確立された通信路のいずれかから選択される（２５）ことを特徴とする、請求項９に記載の方法。
【請求項１１】
前記返信伝送信号を前記モバイル通信ユニット（３）から前記試験装置（２）へ送信するために、独立返信伝送通信路（１４）が確立される(２６)ことを特徴とする、請求項９に記載の方法。
【請求項１２】
前記伝送信号を解析した前記モバイル通信ユニット（３）の反応が、前記試験装置（２）によって検出され、そして期待値と比較されることを特徴とする、請求項９から１１のいずれかに記載の方法。
【手続補正２】
【補正対象書類名】明細書
【補正対象項目名】００２２
【補正方法】変更
【補正の内容】
【００２２】  図１は、本発明によるシステム１を示す。前記システム１は、図示される実施形態では携帯電話機などのモバイル通信ユニット３である供試の装置を試験するための試験装置２を含む。前記試験ユニット１（ｔｅｓｔｉｎｇ  ｕｎｉｔ  １）と前記モバイル通信装置３との間の通信を確立するために、前記試験装置２は、モバイル通信ユニットと通常は通信する正規の基地局の少なくとも一部をシミュレートしたシステムシミュレータ４を含む。
【手続補正３】
【補正対象書類名】明細書
【補正対象項目名】００２４
【補正方法】変更
【補正の内容】
【００２４】 試験装置２によって前記モバイル通信ユニット３に供給されるこのような情報は、例えば、通行通信路の利用可能能力に従ってデータ・パケットの長さを、対応する通行通信路を経由して輸送できるデータ量を増加又は減少させるために、適合させるというものである。
【手続補正４】
【補正対象書類名】明細書
【補正対象項目名】００２５
【補正方法】変更
【補正の内容】
【００２５】  本発明によれば、前記システムシミュレータ４は、試験装置２から前記モバイル通信ユニット３へ送信される予定の各々の情報を発生させるための発生ユニット４０を含む。前記モバイル通信ユニット３のパラメーター設定に関する情報が発生させられるとき、前記システムシミュレータ４の発生ユニット４０によって発生させられる情報を含む伝送信号が発生させられる。前記伝送信号の発生は、例えば、一方の通信路での「ブロック当りのデータ容量」−ダウンステップ及び「ブロック当りデータ容量」−保留ステップを含む。
【手続補正５】
【補正対象書類名】明細書
【補正対象項目名】００４４
【補正方法】変更
【補正の内容】
【００４４】  １      システム  ２      試験装置  ３      モバイル通信ユニット ４，４′      システムシミュレータ  ５      受信機  ６      一方向通信路  ７      一方向通信路  ８      受信機  ９      折返し構成要素  １１    モジュレータ  １２    連絡線  １３    送信機  １４    独立通信路 １５，１５′    アプリケーションユニット  １６    ビット比較ユニット
【手続補正６】
【補正対象書類名】図面
【補正対象項目名】図２
【補正方法】変更
【補正の内容】
【図２】
2010501154.tif 000001
【手続補正書】
【提出日】平成22年8月3日(2010.8.3)
【手続補正１】
【補正対象書類名】特許請求の範囲
【補正対象項目名】全文
【補正方法】変更
【補正の内容】
【特許請求の範囲】
【請求項１】
第１の誘電体物質及び第２の誘電体物質を配設している基板上に配設された誘電体を選択的に除去する方法において、
固定研き剤研摩パッドに近接して上記基板を配置するステップと、
少なくとも１つの有機化合物及び少なくとも１つの研摩増強化合物を有する研き剤無し研摩組成物を、上記基板と上記研摩パッドとの間に分配するステップと、
上記第１の誘電体物質に対して上記第２の誘電体物質を選択的に研摩するステップと、を含む方法。
【請求項２】
上記少なくとも１つの研摩増強化合物は、フルオロ界面活性剤である、請求項１に記載の方法。
【請求項３】
上記少なくとも１つの有機化合物は、グリシン、プロリン、アルギニン、ヒスチジン、リシン、及びピコリン酸からなる群から選択されたアミノ酸を含む、請求項２に記載の方法。
【請求項４】
上記研摩組成物は、更に、少なくとも１つのｐＨ調整剤及び脱イオン化水を含む、請求項１に記載の方法。
【請求項５】
上記基板は、第１の誘電体層及び第２の誘電体層を備える浅いトレンチ分離構造部を含む、請求項１に記載の方法。
【請求項６】
上記第１の誘電体物質は、窒化シリコンであり、上記第２の誘電体物質は、酸化シリコンである、請求項１に記載の方法。
【請求項７】
上記酸化シリコン及び上記窒化シリコンは、約１０：１以上の除去率の比にて除去される、請求項６に記載の方法。
【請求項８】
上記少なくとも１つの有機化合物は、プロリンを含む、請求項３に記載の方法。
【請求項９】
上記研摩組成物は、約０．５重量％と約１０重量％との間の上記少なくとも１つの有機化合物と、約０．０００１重量％と約１重量％との間の上記少なくとも１つのフルオロ界面活性剤と、を含み、上記研摩組成物のｐＨは、約７と約１１との間である、請求項２に記載の方法。
【請求項１０】
固定研き剤研摩パッドを使用して誘電体物質を除去するための研き剤無し研摩組成物において、初期的に、
少なくとも１つの有機化合物と、
少なくとも１つの研摩増強化合物と、
少なくとも１つのｐＨ調整剤と、
脱イオン化水と、
からなる組成物。
【請求項１１】
上記少なくとも１つの研摩増強化合物は、界面活性剤を含む、請求項１０に記載の組成物。
【請求項１２】
上記少なくとも１つの有機化合物は、グリシン、プロリン、アルギニン、ヒスチジン、リシン及びピコリン酸からなる群から選択されたアミノ酸であり、上記少なくとも１つの研摩増強化合物は、フルオロ界面活性剤を含む、請求項１１に記載の組成物。
【請求項１３】
上記界面活性剤は、アニオン界面活性剤、非イオン界面活性剤、カチオン界面活性剤及び両性界面活性剤からなる群から選択される、請求項１１に記載の組成物。
【請求項１４】
上記組成物は、約７と約１１との間のｐＨを有する、請求項１１に記載の組成物。
【請求項１５】
上記研摩組成物は、約０．５重量％と約１０重量％との間の上記少なくとも１つの有機化合物と、約０．０００１重量％と約１重量％との間の上記少なくとも１つの研摩増強化合物と、を含む、請求項１０に記載の組成物。
【手続補正書】
【提出日】平成22年1月27日(2010.1.27)
【手続補正１】
【補正対象書類名】明細書
【補正対象項目名】０００９
【補正方法】変更
【補正の内容】
【０００９】
セルラーゼ酵素は、原料中セルロースを加水分解（β−１，４−Ｄ−グルカン結合の加水分解）して、例えば、グルコース、セロビオース、及び他のセロオリゴ糖の生成を触媒する。セルラーゼは、多くの植物及び微生物により生成され得る、エキソ作用(exo-acting)セロビオヒドロラーゼ（ＣＢＨ）、エンドグルカナーゼ（ＥＧ）並びにβ−グルコシダーゼ（βＧ）を含む、多酵素混合物を意味する一般的な用語である。セルロース結合ドメインを含有する、トリコデルマ・リーゼイ(Trichoderma reesei)由来セルラーゼ中の酵素は、CBH1(より一般的には、Cel7A)、CBH2(Cel6A)、EG1(Cel7B)、EG2(Cel5)、EG4(Cel61A)、EG5(Cel45A)、EG6(Cel74A)、Cip1、Cip2、アセチルキシランエステラーゼ、β−マンナナーゼ、及びスオレニン(swollenin) を含む。EG3(Cel12A)は、セルロース結合ドメインを有さないセルロース分解酵素の例である。
【手続補正２】
【補正対象書類名】明細書
【補正対象項目名】００３５
【補正方法】変更
【補正の内容】
【００３５】
以下の定義は、国際生化学・分子生物学連合の生化学命名法合同委員会により定義される（Enzyme Nomenclature 1992, Academic Press, San Diego, California, ISBN 0-12-227164-5、補足としてEur. J. Biochem. 1994, 223, 1-5; Eur. J. Biochem. 1995, 232, 1-6; Eur. J. Biochem. 1996, 237, 1-5; Eur. J. Biochem. 1997, 250; 1-6, 及びEur. J. Biochem. 1999, 264, 610-650に発表されている）セロビオヒドロラーゼ、エンドグルカナーゼ、及びβ−グルコシダーゼの分類、並びにグリコヒドロラーゼ酵素の標準的命名として受け入れられるＣＡＺｙシステムにより定義される（Coutinho, P.M. & Henrissat, B., 1999,「Carbohydrate-active enzymes: 総合データベース手法」、In Recent Advances in Carbohydrate Bioengineering, HJ. Gilbert, G. Davies, B. Henrissat and B. Svensson eds., The Royal Society of Chemistry, Cambridge, pp. 3-12, これをここで参考として取り入れ、またafmb.cnrs-mrs.fr/CAZY/も参照）セルラーゼ及びβ−グルコシダーゼのグリコヒドロラーゼファミリーを参照し、かつ当業者によく知られている。
【手続補正３】
【補正対象書類名】明細書
【補正対象項目名】００５８
【補正方法】変更
【補正の内容】
【００５８】
前処理方法の限定されない例には、硫酸若しくは亜硫酸、又は他の酸を用いて、アンモニア、石灰、水酸化アンモニウム、又は他の塩基を用いて、エタノール、ブタノール、又は他の有機溶媒を用いて、又は加圧水を用いての、リグノセルロース原料の化学的処理（米国特許4,461,648号、5,916,780号、6,090,595号、6,043,392号、4,600,590号明細書、Weilなど (1997)及びOhgren, K.など (2005)を参照）が含まれる。
【手続補正４】
【補正対象書類名】明細書
【補正対象項目名】００８１
【補正方法】変更
【補正の内容】
【００８１】
実施例２：主要セルラーゼの濃度及び純度測定
タンパク質濃度を、Bradfordら（1976）の方法を使用して化学的に測定した。各精製タンパク質の試料を、SDS-PAGEにより分離し、電気泳動後に、図１、パネルＡに示されるとおり、クーマシーブルー染色により可視化した。各精製成分に対して、各バンドの染色度を、Chemigenius2（Syngene）画像システムを使用して、走査デンシトメトリー(scanning densitometry)により定量した。各成分のバンド強度を、ゲルの同じレーンにある全てのバンドを測定した総染色度で割ることにより、相対的な純度を計算した。炭水化物結合モジュールをもたないEG2は、精製したEG2調製物中に微量存在したが、この酵素調製における汚染物質であるとは考えられなかった。CBH1及びCBH2の相対的純度は＞９５％であったが、EG1及びEG2では＞９０％であった。
【手続補正５】
【補正対象書類名】明細書
【補正対象項目名】００９４
【補正方法】変更
【補正の内容】
【００９４】
これらの結果をグラフに表すため、実施例３で説明されるように、酵素活性を図３Ａ、３Ｂ、３Ｃ又は３Ｄに示し、表１で説明する。
表１：主要セルラーゼ混合物による正規化したグルコース生成
2010501190.tif 000001
2010501190.tif 000002
2010501190.tif 000003
2010501190.tif 000004
*%CBH = %CBH1 + %CBH2
** fC2 = CBH2/(CBH1+CBH2)
*** fE2 = EG2/(EG1+EG2)
【手続補正６】
【補正対象書類名】明細書
【補正対象項目名】０１０２
【補正方法】変更
【補正の内容】
【０１０２】
主要セルラーゼの全ての公表された組成は、最も高いセルラーゼ活性をもたらすゾーンの外側にうまく位置する。
表２：既知組成の図３へのマッピング
2010501190.tif 000005
【手続補正７】
【補正対象書類名】明細書
【補正対象項目名】０１０７
【補正方法】削除
【補正の内容】
【手続補正書】
【提出日】平成22年8月20日(2010.8.20)
【手続補正１】
【補正対象書類名】特許請求の範囲
【補正対象項目名】全文
【補正方法】変更
【補正の内容】
【特許請求の範囲】
【請求項１】
配列番号２、４及び６からなる群から選択されたアミノ酸配列に対して少なくとも９０％配列相同性を有する単離ペプチド分子を含み、前記単離されたペプチド分子はプルラナーゼ活性を有する組成物。
【請求項２】
配列番号１、３及び５からなる群から選択されたヌクレオチド配列からなる単離された核酸分子を含み、前記ヌクレオチド配列がプルラナーゼをコードするように設けられる組成物。
【請求項３】
配列番号２、４又は６のアミノ酸配列をもつ蛋白質をコードする単離されたＤＮＡを含む組成物。
【請求項４】
配列番号１、３及び５からなる群から選択されたヌクレオチド配列からなる単離ＤＮＡからなる発現構築体を含む組成物。
【請求項５】
前記発現構築体で形質転換された宿主細胞によって認識される制御配列に作動的に連結した請求項４の発現構築体。
【請求項６】
発現構築体が宿主生物にトランスフェクションされることを特徴とする、請求項５の発現構築体。
【請求項７】
前記宿主生物が、菌類、細菌類、真核細胞からなる群から選択されることを特徴とする、請求項６の宿主生物。
【請求項８】
前記宿主生物がバチルス属の一種（Ｂａｃｉｌｌｕｓ ｓｐ．）、バチルス スブチリス（Ｂａｃｉｌｌｕｓ ｓｕｂｔｉｌｉｓ）、大腸菌（Ｅｓｃｈｅｒｉｃｈｉａ ｃｏｌｉ）、 トリコデルマ レーシ（Ｔｒｉｃｈｏｄｅｒｍａ ｒｅｅｓｅｉ）、サッカロミセス セレビジアエ（Ｓａｃｃｈａｒｏｍｙｃｅｓ ｃｅｒｅｖｉｓｉａｅ）、アスペルギルス ニガー（Ａｓｐｅｒｇｉｌｌｕｓ ｎｉｇｅｒ）とバチルス リチェニフォルミス（Ｂ. ｌｉｃｈｅｎｉｆｏｒｍｉｓ）からなる群から選択されることを特徴とする、請求項７の宿主生物。
【請求項９】
プルラナーゼをコードしている発現構築体を含み、前記発現構築体は配列番号１、３及び５からなる群から選択された核酸配列を含むように設けられる組成物。
【請求項１０】
配列番号２、４及び６からなる群から選択されたペプチドをコードしている発現構築体を含む組成物。
【請求項１１】
以下の工程を含むプルラナーゼを生産する方法：
(a)i）プルラナーゼをコードしているヌクレオチド配列を含む使用可能な条件における発現構築体であって、前記ヌクレオチド配列は配列番号１、３及び５からなる群から選択された発現構築体と；ii）宿主生物および；iii）培養手段と；を提供する工程
(b) 前記発現構築体を前記宿主生物へトランスフェクションすることによりトランスフェクションした宿主生物を創作する工程
(c) プルラナーゼの生産のために充分な条件下及び時間にわたって前記培養手段における前記トランスフェクションした宿主生物を培養する工程。
【請求項１２】
前記プルラナーゼが前記培養手段から単離されることを特徴とする、請求項１１の方法。
【請求項１３】
前記宿主生物が菌類、細菌類、真核細胞からなる群から選択されることを特徴とする、請求項１１の宿主生物。
【請求項１４】
前記宿主生物がバチルス属の一種（Ｂａｃｉｌｌｕｓ ｓｐ.）、バチルス スブチリス（Ｂａｃｉｌｌｕｓ ｓｕｂｔｉｌｉｓ）、大腸菌（Ｅｓｃｈｅｒｉｃｈｉａ ｃｏｌｉ）、 トリコデルマ レーシ（Ｔｒｉｃｈｏｄｅｒｍａ ｒｅｅｓｅｉ）、サッカロミセス セレビジアエ（Ｓａｃｃｈａｒｏｍｙｃｅｓ ｃｅｒｅｖｉｓｉａｅ）、アスペルギルス ニガー（Ａｓｐｅｒｇｉｌｌｕｓ ｎｉｇｅｒ）とバチルス リチェニフォルミス（Ｂ. ｌｉｃｈｅｎｉｆｏｒｍｉｓ）からなるグループから選択されることを特徴とする請求項１３の宿主生物。
【請求項１５】
以下の工程を含むプルラナーゼを生産する方法：
(a)i）発現構築体がトランスフェクションした宿主生物であって、前記発現構築体は配列番号２、４及び６からなる群から選択されたペプチドをコードするヌクレオチド配列を使用可能な条件下においてコードしているものである宿主生物及びii）培養手段と；を提供する工程と、
(b) プルラナーゼの生産のために充分な条件下及び時間にわたって前記培養手段における前記トランスフェクションした宿主生物を培養する工程。
【請求項１６】
前記プルラナーゼが前記培養手段から単離されることを特徴とする、請求項１５の方法。
【請求項１７】
前記宿主生物が菌類、細菌類、真核細胞からなる群から選択されることを特徴とする、請求項１５の宿主生物。
【請求項１８】
前記宿主生物がバチルス属の一種（Ｂａｃｉｌｌｕｓ ｓｐ.）、バチルス スブチリス（Ｂａｃｉｌｌｕｓ ｓｕｂｔｉｌｉｓ）、大腸菌（Ｅｓｃｈｅｒｉｃｈｉａ ｃｏｌｉ）、 トリコデルマ レーシ（Ｔｒｉｃｈｏｄｅｒｍａ ｒｅｅｓｅｉ）、サッカロミセス セレビジアエ（Ｓａｃｃｈａｒｏｍｙｃｅｓ ｃｅｒｅｖｉｓｉａｅ）、アスペルギルス ニガー（Ａｓｐｅｒｇｉｌｌｕｓ ｎｉｇｅｒ）とバチルス リチェニフォルミス（Ｂ. ｌｉｃｈｅｎｉｆｏｒｍｉｓ）からなる群から選択されることを特徴とする、請求項１７の宿主生物。
【請求項１９】
ヌクレオチド配列が定方向分子進化によって配列番号１、３及び５のいずれかに由来することを特徴とする、プルラナーゼをコードするヌクレオチド配列。
【請求項２０】
表３に示すようにバチルス リチェニフォルミス（Ｂ. ｌｉｃｈｅｎｉｆｏｒｍｉｓ）の一以上の菌株を含む組成物。
【手続補正書】
【提出日】平成22年8月17日(2010.8.17)
【手続補正１】
【補正対象書類名】特許請求の範囲
【補正対象項目名】全文
【補正方法】変更
【補正の内容】
【特許請求の範囲】
【請求項１】
（ａ）次式によって表される少なくとも１つの２価単位と、
【化１】
2010501678.tif 000001
（ｂ）次式によって表される少なくとも１つの２価単位と
【化２】
2010501678.tif 000002
；
【化３】
2010501678.tif 000003
又は
【化４】
2010501678.tif 000004
［式中、
Ｒｆは、炭素原子１〜８個を有するペルフルオロアルキル基を表し、
Ｒ、Ｒ１及びＲ２は、それぞれ独立に、水素、又は炭素原子１〜４個を有するアルキルであり、
ｎは、２〜１０の整数であり、
ＥＯは、−ＣＨ２ＣＨ２Ｏ−を表し、
ＰＯは、それぞれ独立に、−ＣＨ（ＣＨ３）ＣＨ２Ｏ−又は−ＣＨ２ＣＨ（ＣＨ３）Ｏ−を表し、
ｐは、それぞれ独立に、１〜約１２８の整数であり、
ｑは、それぞれ独立に、０〜約５５の整数である］
を含むフッ素化ポリマー非イオン性界面活性剤と；
それぞれ独立に、炭素原子２〜２５個を有する少なくとも１つのポリオール又はポリオールエーテルと、
炭素原子１〜４個を有する少なくとも１つのモノヒドロキシアルコール、エーテル、若しくはケトン、又はその混合物と
を含む溶媒と；
を含む組成物。
【請求項２】
少なくとも１つのポリオール又はポリオールエーテルが、エチレングリコール、プロピレングリコール、１，３−プロパンジオール、１，８−オクタンジオール、ジエチレングリコールモノメチルエーテル、エチレングリコールモノブチルエーテル、又はジプロピレングリコールモノメチルエーテルのうちの少なくとも１つを含む、請求項１に記載の組成物。
【請求項３】
炭素原子１〜４個を有する少なくとも１つのモノヒドロキシアルコール、エーテル、又はケトンが、メタノール、エタノール、イソプロパノール、テトラヒドロフラン、又はアセトンのうちの少なくとも１つを含む、請求項１に記載の組成物。
【請求項４】
炭化水素含有砕屑地層内に請求項１〜３のいずれかに記載の組成物を注入するステップを含む、炭化水素含有砕屑地層を処理する方法。
【手続補正書】
【提出日】平成22年7月2日(2010.7.2)
【手続補正１】
【補正対象書類名】特許請求の範囲
【補正対象項目名】全文
【補正方法】変更
【補正の内容】
【特許請求の範囲】
【請求項１】
液体希釈剤としての５０質量パーセント超の水、
親水性活性剤、および
重合したエチレンオキサイドの少なくとも１つのブロックと、アルキレンが少なくとも４個の炭素原子を含む重合したアルキレンオキサイドの少なくとも１つのブロックとを含むブロックコポリマー
を含む組成物。
【請求項２】
重合したアルキレンオキサイドの少なくとも１つのブロックが、重合したブチレンオキサイドである、請求項１に記載の組成物。
【請求項３】
ブロックコポリマーが、重合したエチレンオキサイド１０〜１２単位と重合したブチレンオキサイド１０〜１２単位とを含む、請求項１に記載の組成物。
【請求項４】
活性剤とブロックコポリマーとが組合された後に添加される、プロピレングリコールまたはミネラルオイルの少なくとも１種を更に含む、請求項１に記載の組成物。
【請求項５】
親水性活性剤が、パーソナルケア剤、医薬剤、洗浄関連剤、クリーニング剤、農業用剤、指示薬または触媒としての活性を有する成分である、請求項１に記載の組成物。
【請求項６】
親水性活性剤が、ビタミン、塩または酸である、請求項１に記載の組成物。
【請求項７】
親水性活性剤の水中溶解性が、２５℃および１気圧で１００グラムの蒸留水中少なくとも０．１グラムである、請求項１に記載の組成物。
【請求項８】
親水性活性剤の水中溶解性が、２５℃および１気圧で１００グラムの蒸留水中少なくとも２グラムである、請求項１に記載の組成物。
【請求項９】
親水性活性剤とブロックコポリマーとの質量比が０．１〜１０００：１である、請求項１に記載の組成物。
【請求項１０】
親水性活性剤とブロックコポリマーとの質量比が１〜１００：１である、請求項１に記載の組成物。
【請求項１１】
組成物質量の０．１〜２０質量パーセントのブロックコポリマーを含む、請求項１に記載の組成物。
【請求項１２】
組成物の総質量基準で０．５〜５質量パーセントのブロックコポリマーを含む、請求項１に記載の組成物。
【請求項１３】
ブロックコポリマーの重量平均分子量が２０００未満である、請求項１に記載の組成物。
【請求項１４】
重合したエチレンオキサイドのブロックの重量平均分子量が２００〜９００である、請求項１に記載の組成物。
【請求項１５】
組成物中の液体希釈剤が実質的に水のみである、請求項１に記載の組成物。
【請求項１６】
水が５０〜９９．５質量パーセントの範囲で存在する、請求項１に記載の組成物。
【請求項１７】
水性希釈剤中で親水性活性剤をブロックコポリマーとブレンドすることを含む、請求項１に記載の水性組成物を製造する方法。
【請求項１８】
親水性活性剤を、重合したエチレンオキサイドの少なくとも１つのブロックとアルキレンが少なくとも４個の炭素原子を含む重合したアルキレンオキサイドの少なくとも１つのブロックとを含むブロックコポリマーと、水性希釈剤中でブレンドすることによって、ブロックコポリマー中の親水性活性剤の所定パーセントをカプセル化することを含む、水性組成物中の親水性活性剤を安定化する方法。
【請求項１９】
親水性活性剤を、重合したエチレンオキサイドの少なくとも１つのブロックと、アルキレンが少なくとも４個の炭素原子を含む重合したアルキレンオキサイドの少なくとも１つのブロックとを含むブロックコポリマーと、水性希釈剤中でブレンドすることによって、ブロックコポリマー中の親水性活性剤の所定パーセントをカプセル化することを含む、成分の少なくとも１つが親水性活性剤である水性組成物の２つの成分の親和性を改善する方法。
【手続補正書】
【提出日】平成22年7月15日(2010.7.15)
【手続補正１】
【補正対象書類名】特許請求の範囲
【補正対象項目名】全文
【補正方法】変更
【補正の内容】
【特許請求の範囲】
【請求項１】
ａ）次式ＲfＣＨ2ＯＣＦ2ＨのＨＦＥ
［式中、Ｒfは線状部分フッ素化アルキル基、１つ以上の酸素原子によって中断された線状部分フッ素化アルキル基、分枝状部分フッ素化アルキル基、１つ以上の酸素原子によって中断された分枝状部分フッ素化アルキル基、及び完全フッ素化アルケニル基から選択され、Ｒfの総炭素原子数は７以上である。］；
ｂ）下記式（Ｉ）：
Ｒf1−Ｏ−Ｒf2 （Ｉ）
［式中、Ｒf1は、（ＣＦ3）2ＣＦ−ＣＨＦ−ＣＦ（ＣＦ3）−、（ＣＦ3）2ＣＦ−（ＣＨＦ−ＣＦ3）−、（ＣＦ3）2ＣＨ−Ｃ（ＣＦ（ＣＦ3）2）2−、（ＣＦ3）2Ｃ−ＣＨ−（ＣＦ−（ＣＦ3）2）2−、（ＣＦ3）2Ｃ−ＣＨ（ＣＦ2ＣＦ3）（ＣＦ−（ＣＦ3）2）−、及び（ＣＦ3）2ＣＨ−Ｃ（ＣＦ2ＣＦ3）（ＣＦ（ＣＦ3）2）−から選択され、Ｒf2は−Ｃ6Ｈ4−Ｘであり、ＸはＨ、Ｆ、完全フッ素化アルキル基又は部分フッ素化アルキル基から選択される。］
のＨＦＥ；
ｃ）式（Ｉ）
［式中、Ｒf2が−Ｃ6Ｈ4−Ｘ及び−ＣＨ2−（ＣＦ2）n−Ｈから選択される場合、Ｒf1は（ＣＦ3）2ＣＨ−ＣＦ2−及び（ＣＦ3）2Ｃ＝ＣＦ−から選択され、ここでＸはＨ、Ｆ、完全フッ素化アルキル基、又は部分フッ素化アルキル基から選択され、ｎは４〜６である。］
のＨＦＥ；
ｄ）式（Ｉ）
［式中、Ｒf1はＨＣＦ2ＣＦ2−及びＣＦ3−ＣＨＦ−ＣＦ2−から選択され、Ｒf2は−ＣＨ2（ＣＦ2）nＨから選択され、ｎは式Ｉの総炭素原子数が９以上となるように選択される。］
のＨＦＥ；及び
ｅ）ＲfＯ（ＣＦ2ＣＦＣＦ3）nＯＣＨＦＣＦ3（式中、ｎ＝２−４、Ｒfはペルフルオロアルキル）と、ＣＦ3ＣＨＦＯ（ＣＦ2）nＯＣＨＦＣＦ3（ｎ＝４−６）と、ＨＣＦ2（ＯＣＦ2）nＯＣＦ2Ｈ（ｎ＝２−６）と、ＨＣＦ2（ＯＣＦ2ＣＦ2）nＯＣＦ2Ｈ（式中、ｎ＝２−６）とから選択されたＨＦＥポリエーテル、
から選択された低テロゲン性ハイドロフルオロエーテル（ＨＦＥ）と、水とを含む重合媒質中で、少なくとも１種のフッ素化モノマーを重合させてフルオロポリマーを生じさせる工程を含む、フルオロポリマーの製造方法。
【手続補正書】
【提出日】平成22年7月14日(2010.7.14)
【手続補正１】
【補正対象書類名】特許請求の範囲
【補正対象項目名】全文
【補正方法】変更
【補正の内容】
【特許請求の範囲】
【請求項１】
液体媒体中の溶液又は分散系としてのポリアニオン及び置換もしくは非置換チオフェンのポリマーもしくはコポリマーならびに少なくとも２個のビニル基を有する少なくとも１種の化合物を含んでなる組成物であって、ここで該液体媒体は少なくとも１種の非−水性溶媒を含み、３０重量％より少ない水を含み；そして該組成物は、０．１重量％より多い置換もしくは非置換チオフェンのポリマーもしくはコポリマーを含み、且つ該組成物がＵＶ−光重合を開始させることができる少なくとも１種のビニル−化合物及び／又は少なくとも１種のＵＶ−光開始剤を含む故に、ＵＶ−光重合可能である組成物。
【請求項２】
組成物がさらに１個のビニル基を有する少なくとも１種の化合物を含み、それは少なくとも２個のビニル基を有する少なくとも１種の化合物と共重合することができる請求項１に記載の組成物。
【請求項３】
置換チオフェンのポリマー又はコポリマーが３，４−ジアルコキシチオフェンのポリマー又はコポリマーであり、ここで該２個のアルコキシ基は同一かもしくは異なることができるか、あるいは一緒になって場合により置換されていることができるオキシ−アルキレン−オキシ架橋を示す請求項１〜２のいずれか１つに記載の組成物。
【請求項４】
調製方法が、少なくとも７０重量％の有機溶媒を含んでなり、残りが水であるポリヒドロキシ−溶媒−含有液体媒体中のポリアニオン及び置換もしくは非置換チオフェンのポリマーもしくはコポリマーの分散系又は溶液を準備し；そして少なくとも１種の光開始剤及び少なくとも１種のモノマーを加え；そして得られる混合物を混合する段階を含んでなる請求項１〜３のいずれか１つに記載の組成物の調製方法。
【請求項５】
物体上における層又はパターンの作製方法であって、（ｉ）液体媒体中の溶液又は分散系としてのポリアニオン及び置換もしくは非置換チオフェンのポリマーもしくはコポリマーならびに少なくとも２個のビニル基を有する少なくとも１種の化合物を含んでなる組成物を用い、該物体に層又はパターンを適用し、ここで該液体媒体は少なくとも１種の非−水性溶媒を含み且つ３０重量％より少ない水を含み；そして該組成物は、０．１重量％より多い置換もしくは非置換チオフェンのポリマーもしくはコポリマーを含み、且つ該組成物がＵＶ−光重合を開始させることができる少なくとも１種のビニル−化合物及び／又は少なくとも１種のＵＶ−光開始剤を含む故に、ＵＶ−光重合可能であり；（ｉｉ）該層又はパターンを場合により乾燥し；（ｉｉｉ）該層又はパターンを場合により加熱してその表面抵抗を低下させ；そして（ｉｉｉ）ＵＶ−光に暴露することにより該層又はパターンを硬化する段階を含んでなり、ここで段階（ｉｉ）及び（ｉｉｉ）を加熱段階において一緒にすることができ、その間に層又はパターンの表面抵抗を上昇させ、且つ該層又はパターンを乾燥する作製方法。
【手続補正書】
【提出日】平成22年8月19日(2010.8.19)
【手続補正１】
【補正対象書類名】特許請求の範囲
【補正対象項目名】全文
【補正方法】変更
【補正の内容】
【特許請求の範囲】
【請求項１】
コポリマーの全重量を基準として、
ａ）４０〜９７重量％のメタクリル酸ペルフルオロアルキルエチル混合物、
ｂ）１〜５０重量％の（メタ）アクリル酸Ｃ１２‐Ｃ２２アルキル、並びに
ｃ）０．５〜１０重量％の単数又は複数の熱架橋性若しくはイソシアネート反応性モノマー、並びに
ｄ）１．５〜５０重量％の塩化ビニル及び／又は塩化ビニリデンを含むコポリマーであって、
下記式
ＲＦＣＨ２ＣＨ２ＯＣＯＣ（ＣＨ３）＝ＣＨ２
のメタクリル酸ペルフルオロアルキルエチルが
１〜７０重量％の４個以下のフッ化炭素原子及び
３０〜９９重量％の６個のフッ化炭素原子
を含むことを特徴とするコポリマー。
【請求項２】
メタクリル酸ペルフルオロアルキルエチルのペルフルオロアルキル基が、
３０〜７０重量％の４個以下のフッ化炭素原子及び 
３０〜７０重量％の６個のフッ化炭素原子
を含むことを特徴とする請求項１に記載の化合物。
【請求項３】
メタクリル酸ペルフルオロアルキルエチルのペルフルオロアルキル基が、
１〜１０重量％の４個以下のフッ化炭素原子及び
９０〜９９重量％の６個のフッ化炭素原子
を含むことを特徴とする請求項１に記載の化合物。
【請求項４】
（メタ）アクリル酸Ｃ１２‐Ｃ２２アルキルがアクリル酸セチル、アクリル酸ステアリル及び／又はアクリル酸ベヘニルから構成されることを特徴とする請求項１に記載の化合物。
【請求項５】
請求項１〜４のいずれか１項に記載のコポリマーを使用して、繊維状基材に撥水、撥油及び撥汚物仕上げする方法。
【請求項６】
請求項１〜４のいずれか１項に記載のコポリマーと保護基の付いたイソシアネートの混合物との水性混合物。
【請求項７】
請求項６に記載の水性混合物を使用して、繊維状基材に撥水、撥油及び撥汚物仕上げする方法。
【手続補正書】
【提出日】平成22年7月21日(2010.7.21)
【手続補正１】
【補正対象書類名】特許請求の範囲
【補正対象項目名】全文
【補正方法】変更
【補正の内容】
【特許請求の範囲】
【請求項１】
ジエン系ゴム及び硫黄を含む加硫可能なゴム組成物であって、下記一般化学式（Ｉ）で表される４-置換２-ベンゾチアゾールスルフェンアミドの群から選択される安定剤／促進剤物質を混合することにより安定化し、
【化１】
2010501660.tif 000001
式中、Ｒ１とＲ２は同一または異なるものでよく、それぞれ水素、ハロゲン、ニトロ、ヒドロキシ、Ｃ１−Ｃ１２アルキルまたはアルコキシルあるいはアラルキルであり、
Ｒ３とＲ４は同一または異なるものでよく、それぞれ水素、Ｃ１−Ｃ１２（シクロ）アルキルまたはアルコキシルあるいはアラルキルであり、或いはＲ３とＲ４はＯ、Ｓｉ、Ｓ又はＰで随意に置換された環を形成することができることを特徴とする加硫可能ゴム組成物。
【請求項２】
安定剤／促進剤物質は、Ｒ１がメチル、Ｒ２が水素、Ｒ３がＨ、Ｒ４がシクロヘキシル基である４-置換２-ベンゾチアゾールスルフェンアミドであることを特徴とする請求項１記載の加硫可能ゴム組成物。
【請求項３】
安定剤／促進剤物質は、Ｒ１がメチル、Ｒ２が水素、Ｒ３がＨ、Ｒ４が第三ブチル基である４-置換２-ベンゾチアゾールスルフェンアミドであることを特徴とする請求項１記載の加硫可能ゴム組成物。
【請求項４】
安定剤／促進剤物質は、下記一般化学式（IＡ）で表されるＮ-シクロヘキシル-２-メルカプト-４-メチル-ベンゾチアゾールスルフェンアミド（４ｍ-ＣＢＳ）であることを特徴とする請求項１又は２記載の加硫可能ゴム組成物。
【化２】
2010501660.tif 000002
【請求項５】
安定剤／促進剤物質は、下記一般化学式（IＢ）で表されるＮ-ｔｅｒｔ．ブチル-２-メルカプト-４-メチル-ベンゾチアゾールスルフェンアミド（４ｍ-ＴＢＢＳ）であることを特徴とする請求項１又は３記載の加硫可能ゴム組成物。
【化３】
2010501660.tif 000003
【請求項６】
Ｎ-シクロヘキシル-２-メルカプト-４-メチル-ベンゾチアゾールスルフェンアミド（４ｍ-ＣＢＳ）とＮ-ｔｅｒｔ．ブチル-２-メルカプト-４-メチル-ベンゾチアゾールスルフェンアミド（４ｍ-ＴＢＢＳ）は、天然ゴム、スチレン−ブタジエンゴム（ＳＢＲ）及びそれらのポリブタジエンゴム（ＢＲ）との混合物を主な成分とする硫黄硬化タイヤ化合物のための加硫戻り抵抗性並びにモジュラスと硬度の安定性を促進させる特性を備えていることを特徴とする請求項１から３のいずれか一項に記載の加硫可能ゴム組成物。
【請求項７】
Ｎ-シクロヘキシル-２-メルカプト-４-メチル-ベンゾチアゾール-２-スルフェンアミド（４ｍ-ＣＢＳ）を混合することで、天然ゴムを主成分とするタイヤ接地面化合物においてＭＢＳより長い加硫戻り時間と、ＤＣＢＳよりも長い加硫戻り時間で安定化し強化されていることを特徴とする請求項１記載の加硫可能ゴム組成物。
【請求項８】
Ｎ-ｔｅｒｔ．ブチル-２-メルカプト-４-メチル-ベンゾチアゾールスルフェンアミド（４ｍ-ＴＢＢＳ）を混合することで、天然ゴムを主成分とするタイヤ接地面化合物においてＭＢＳより長い加硫戻り時間と、ＤＣＢＳよりも長い加硫戻り時間で安定化し強化されていることを特徴とする請求項１記載の加硫可能ゴム組成物。
【請求項９】
Ｎ-シクロヘキシル-２-メルカプト-４-メチル-ベンゾチアゾール又はＮ-ｔｅｒｔ．ブチル-２-メルカプト-４-メチル-ベンゾチアゾールスルフェンアミドから選択される４-置換２-ベンゾチアゾールスルフェンアミドを混合することで、ＣＢＳ、ＴＢＢＳ、ＭＢＳおよびＤＣＢＳよりも大幅に優れた熱エイジングモジュラス値、硬度および他の関連する加硫特性の維持によって安定化並びに強化されていることを特徴とする請求項１記載の加硫可能ゴム組成物。
【請求項１０】
促進剤化合物は、ゴム１００重量部に対して０．５〜５．０重量部混合されていることを特徴とする請求項１から９のいずれか一項に記載の加硫可能ゴム組成物。
【手続補正書】
【提出日】平成22年8月13日(2010.8.13)
【手続補正１】
【補正対象書類名】特許請求の範囲
【補正対象項目名】全文
【補正方法】変更
【補正の内容】
【特許請求の範囲】
【請求項１】
吸収された照射線量に応じて色の変化を示す組成物であって、
（ａ）酸に反応する着色剤；
（ｂ）光潜在性の酸；
を含み、
（ｂ）がスルホニルオキシムエステル化合物であることを特徴とする組成物。
【請求項２】
光潜在性の着色剤（ａ）が、スピロピラン、スピロオキサジン、ナフトピラン及びラクトンからなる群より選択される、請求項１記載の組成物。
【請求項３】
光潜在性の酸としての（ｂ）が、式ＩＩａ、ＩＩｂ又はＩＩｃ：
【化１７】
2010501655.tif 000001
［式中、
Ｒ２０は、 
【化１８】
2010501655.tif 000002
、（ＣＯ）Ｏ−Ｃ１〜Ｃ２０アルキル、ＣＮ又はＣ１〜Ｃ２０ハロアルキルであり；
Ｒ２１は、Ｒ２０に対して与えられた定義のうちの一つを有するか、あるいは
【化１９】
2010501655.tif 000003
であり；
Ｒ２２は、Ｃ１〜Ｃ２０アルキル、Ｃ１〜Ｃ２０ハロアルキル、カンフォリル、フェニル−Ｃ１〜Ｃ６アルキル、Ｃ３〜Ｃ３０シクロアルキル、フェニル、ナフチル、アントリル又はフェナントリルであり、基シクロアルキル、フェニル、ナフチル、アントラシル及びフェントリルは無置換であるか、あるいは１個以上のハロゲン、Ｃ１〜Ｃ１２ハロアルキル、ＣＮ、ＮＯ２、Ｃ１〜Ｃ２０アルキル、フェニル、Ｃ１〜Ｃ１２アルキルチオ、Ｃ１〜Ｃ１２アルコキシ、フェノキシ、Ｃ１〜Ｃ１２アルキル−Ｏ（ＣＯ）−、Ｃ１〜Ｃ１２アルキル−（ＣＯ）Ｏ−、Ｒ２４ＯＳＯ２−及び／又は−ＮＲ２５Ｒ２６で置換されており；
ｕは、０又は１であり；
ｖは、２〜６の整数、好ましくは３であり；
Ｒ２３は、Ｃ１〜Ｃ２０アルキル、シクロペンチル、シクロヘキシル、カンフォリル、無置換のフェニル又は１個以上のハロゲン、Ｃ１〜Ｃ１２アルキル、ＯＲ２７、ＳＲ２７もしくはＮＲ２５Ｒ２６により置換されたフェニルであり；
Ｒ２４は、水素、Ｃ１〜Ｃ２０アルキル、フェニル又はＣ１〜Ｃ２０アルキルにより置換されたフェニルであり；
Ｒ２５及びＲ２６は、互いに独立に水素、Ｃ１〜Ｃ２０アルキル、Ｃ２〜Ｃ１２ヒドロキシアルキルであるか、あるいはＲ２５とＲ２６は、それらが結合するＮ原子と一緒になって、５−もしくは６−員環を形成し、これは場合により１個以上のＯ又はＮＲ２８を含み；
Ｒ２７は、Ｃ１〜Ｃ２０アルキル、フェニル、フェニル−Ｃ１〜Ｃ６アルキル又はＣ２〜Ｃ１２ヒドロキシアルキルであり；そして
Ｒ２８は、水素、フェニル、フェニル−Ｃ１〜Ｃ６アルキル、Ｃ１〜Ｃ２０アルキル又はＣ２〜Ｃ１２ヒドロキシアルキルである］
で示されるスルホニルオキシムエステル化合物である、請求項１記載の組成物。
【請求項４】
エチレン性不飽和モノマー、オリゴマー、及び／又はポリマー化合物（ｃ）あるいは熱硬化性樹脂（ｄ）と混ぜられた、請求項１記載の組成物。
【請求項５】
エチレン性不飽和モノマー、オリゴマー、及び／又はポリマー化合物（ｃ）並びに光開始剤（ｅ）と混ぜられた、請求項１記載の組成物。
【請求項６】
熱硬化性樹脂（ｄ）及び熱開始剤（ｆ）と混ぜられた、請求項１記載の組成物。
【請求項７】
コーティングの色強度を測定し、照射されていない状態から照射された状態への被覆された基材の色の変化によって照射線量について直接的な相関を与え、被覆された基材により吸収された照射線量を判定する方法であって、コーティングが、請求項１に定義した組成物を含むことを特徴とする方法。
【請求項８】
基材により吸収された放射線がＵＶ放射線源、ＵＶＡ蛍光灯、電子線又はプラズマガスに由来するものである、請求項７記載の方法。
【請求項９】
色の変化が、無着色のコーティングから着色されたコーティングに展開する、請求項７記載の方法。
【請求項１０】
色の変化が、着色されたコーティングから退色した、あるいは無色のコーティングにまで展開する、請求項７記載の方法。
【請求項１１】
照射線量を判定するための、請求項１記載の組成物の使用。
【請求項１２】
請求項１に定義される組成物により被覆された基材を含む、照射線量インジケータ。
【請求項１３】
基材がポリマーフィルムである、請求項１２記載の照射線量インジケータ。
【請求項１４】
請求項１に定義される組成物により被覆された基材が透明なポリマーフィルムによりラミネートされている、請求項１２記載の照射線量インジケータ。
【請求項１５】
（ｈ）フォイルを製造するのに適切なポリマーと混ぜられた、請求項１記載の組成物。
【手続補正書】
【提出日】平成22年8月17日(2010.8.17)
【手続補正１】
【補正対象書類名】特許請求の範囲
【補正対象項目名】全文
【補正方法】変更
【補正の内容】
【特許請求の範囲】
【請求項１】
表皮細胞間の細胞間接着の異常な減少に関与する皮膚病態を治療及び／または防止するための皮膚への局所的投与用組成物であって、前記皮膚病態が、湿疹、皮膚炎、アトピー性湿疹、アトピー性皮膚炎、非アトピー性湿疹、非アトピー性皮膚炎、脂漏性湿疹、刺激性接触皮膚炎、アレルギー性接触皮膚炎、掻痒、敏感皮膚、手の刺激性／アレルギー性接触湿疹もしくは皮膚炎及び顔の刺激性／アレルギー性湿疹もしくは皮膚炎から選択され、前記組成物は少なくとも部分的に水及び酸に可溶である亜鉛塩を含み、かつ約６以下のｐＨを有する、組成物。
【請求項２】
前記酸が、α−ヒドロキシカルボン酸またはカルボン酸から選択される、請求項１に記載の組成物。
【請求項３】
前記酸が、クエン酸、グリセリン酸、グリコール酸、ピコリン酸、酒石酸、パントテン酸、乳酸、グルコン酸、ピルビン酸、サリチル酸、ギ酸、酢酸、プロピオン酸、及び酪酸から選択される、請求項１または２に記載の組成物。
【請求項４】
前記亜鉛塩が、少なくとも０．０１モル／ｌ、少なくとも０．０５モル／ｌ、少なくとも０．１モル／ｌ、または０．０１モル／ｌと０．６モル／ｌの間、または０．０５モル／ｌと０．４モル／ｌの間の水への溶解度を有する、請求項１から３のいずれか一項に記載の組成物。
【請求項５】
前記亜鉛塩が、クエン酸亜鉛、グリセリン酸亜鉛、グリコール酸亜鉛、ピコリン酸亜鉛、酒石酸亜鉛、パントテン酸亜鉛、乳酸亜鉛、グルコン酸亜鉛、ピルビン酸亜鉛、サリチル酸亜鉛、ギ酸亜鉛、酢酸亜鉛、プロピオン酸亜鉛または酪酸亜鉛から選択される、請求項１から４のいずれか一項に記載の組成物。
【請求項６】
前記酸が乳酸であり、前記亜鉛塩が乳酸亜鉛である、請求項１から５のいずれか一項に記載の組成物。
【請求項７】
前記ｐＨが約５．５以下であり、または４．０から５．５の範囲にある、請求項１から６のいずれか一項に記載の組成物。
【請求項８】
ソーク、軟膏、クリーム、ローション、ペースト、ゲル、スティック、スプレー、エアゾール、バスオイル、シャンプー、石鹸、泡、噴霧もしくは溶液の形態である、請求項１から７のいずれか一項に記載の組成物。
【請求項９】
１つまたは複数の医薬的に許容できる賦形剤、担体、希釈剤もしくはビヒクルをさらに含む、請求項１から８のいずれか一項に記載の組成物。
【請求項１０】
前記賦形剤が、保湿性及び塞ぎ合わせること及び美的な性質を介して、皮膚の軟化性及び皮膚の水分補給を提供する賦形剤を含む、請求項９に記載の組成物。
【請求項１１】
賦形剤が、流動パラフィン、軽質流動パラフィン、鉱油、ミリスチン酸イソプロピル、パルミチン酸イソプロピルなどを含む脂肪酸誘導体、グリセリド、天然オイル、Ｍｅｄｉｌａｎなどのラノリンから選択される、請求項９または１０に記載の組成物。
【請求項１２】
組成物に最大の繋ぎ合わせの割合を提供するので、油相が流動パラフィン−鉱油である、請求項９から１１のいずれか一項に記載の組成物。
【請求項１３】
賦形剤が、揮発性及び非揮発性のシリコーンならびにアルキルエステルから選択される、請求項９に記載の組成物。
【請求項１４】
表皮細胞間の細胞間接着の異常な減少に関与する皮膚病態を治療及び／または防止するための皮膚への局所的投与用組成物であって、前記皮膚病態が、湿疹、皮膚炎、アトピー性湿疹、アトピー性皮膚炎、非アトピー性湿疹、非アトピー性皮膚炎、脂漏性湿疹、刺激性接触皮膚炎、アレルギー性接触皮膚炎、掻痒、敏感皮膚、手の刺激性／アレルギー性接触湿疹もしくは皮膚炎及び顔の刺激性／アレルギー性湿疹もしくは皮膚炎から選択され、前記組成物は乳酸亜鉛及び乳酸を含み、かつ約４．０から５．０のｐＨを有する、組成物。
【請求項１５】
アトピーの進行を遅らせ、防止しもしくは予防し、及び／またはＴＨ１からＴＨ２への切替えを減少させるための、請求項１から１４のいずれか一項に記載の組成物。
【請求項１６】
喘息及び／または鼻炎の、発症を制御し、発症のリスクを防止しもしくは減少させ、または予防に用いるための、請求項１５に記載の組成物。
【請求項１７】
乳酸亜鉛及び乳酸を含み、かつ約４．０から５．０のｐＨを有する組成物。
【請求項１８】
前記乳酸亜鉛が少なくとも約０．５％から５％、場合により少なくとも約１％、好ましくは約１．５％もしくは約２％もしくは約２．５％もしくは約３％存在する、請求項１７に記載の組成物。
【請求項１９】
酸化亜鉛と酸を接触させることを含む、請求項１から１４、１５、１６、１７または１８のいずれか一項に記載の組成物の製造方法。
【請求項２０】
前記酸が、クエン酸、グリセリン酸、グリコール酸、ピコリン酸、酒石酸、パントテン酸、乳酸、グルコン酸、ピルビン酸、サリチル酸、ギ酸、酢酸、プロピオン酸、及び酪酸から選択され、好ましくは前記酸が乳酸である、請求項１９に記載の方法。
【請求項２１】
酸化亜鉛と酸を含む、請求項１から１４、１５、１６、１７または１８のいずれか一項に記載の組成物を製造させるのに使用するための材料のセット。
【請求項２２】
前記酸が、クエン酸、グリセリン酸、グリコール酸、ピコリン酸、酒石酸、パントテン酸、乳酸、グルコン酸、ピルビン酸、サリチル酸、ギ酸、酢酸、プロピオン酸、及び酪酸から選択され、好ましくは前記酸が乳酸である、請求項２１に記載の材料のセット。
【手続補正書】
【提出日】平成22年8月23日(2010.8.23)
【手続補正１】
【補正対象書類名】特許請求の範囲
【補正対象項目名】全文
【補正方法】変更
【補正の内容】
【特許請求の範囲】
【請求項１】
式Ｉの化合物、
【化１】
2010501624.tif 000001
その立体異性体のいずれか若しくはその立体異性体の任意の混合物又は薬剤として許容されるその塩
［式中、
Ｒは水素又はアルキルを表し、
前記アルキルはハロ、トリフルオロメチル、トリフルオロメトキシ、シアノ、ヒドロキシ、アミノ、ニトロ、アルコキシ、シクロアルコキシ、アルキル、シクロアルキル、シクロアルキルアルキル、アルケニル及びアルキニルからなる群から独立に選択される１つ又は複数の置換基で任意選択で置換されており、
Ｒａはアリール基を表し、
前記アリール基は、ハロ、トリフルオロメチル、トリフルオロメトキシ、シアノ、ニトロ、ヒドロキシ、アルコキシ、シクロアルコキシ、アルコキシアルキル、シクロアルコキシアルキル、メチレンジオキシ、エチレンジオキシ、アルキル、シクロアルキル、シクロアルキルアルキル、アルケニル、アルキニル、−ＮＲ’Ｒ’’、−（Ｃ＝Ｏ）ＮＲ’Ｒ’’又は−ＮＲ’（Ｃ＝Ｏ）Ｒ’’（Ｒ’及びＲ’’は互いに独立に水素又はアルキルである）からなる群から独立に選択される１つ又は複数の置換基で任意選択で置換されており、
Ｒｂは水素、アルキル又はアリール基を表し、
前記アルキル又はアリール基は、ハロ、トリフルオロメチル、トリフルオロメトキシ、シアノ、ニトロ、ヒドロキシ、アルコキシ、シクロアルコキシ、アルコキシアルキル、シクロアルコキシアルキル、メチレンジオキシ、エチレンジオキシ、アルキル、シクロアルキル、シクロアルキルアルキル、アルケニル、アルキニル、−ＮＲ’Ｒ’’、−（Ｃ＝Ｏ）ＮＲ’’’Ｒ’’’’又は−ＮＲ’’’（Ｃ＝Ｏ）Ｒ’’’’（Ｒ’’’及びＲ’’’’は互いに独立に水素又はアルキルである）からなる群から独立に選択される１つ又は複数の置換基で任意選択で置換されており、
但し、前記化合物は、
［４−（３−トリフルオロメトキシベンジル）−ピペリジン−４−イル］−メタノール、
４−メトキシメチル−４−（２−メチルベンジル）−ピペリジン、
［４−（２−メチルベンジル）−ピペリジン−４−イル］−メタノール、
４−メトキシメチル−４−（３−メチルベンジル）−ピペリジン又は
（４−ベンジル−ピペリジン−４−イル）−メタノールではない］。
【請求項２】
Ｒが水素又はアルキルを表す、請求項１に記載の化合物。
【請求項３】
Ｒａがフェニル基を表し、
前記フェニル基は、
ハロ、トリフルオロメチル、トリフルオロメトキシ、シアノ及びアルコキシ
からなる群から独立に選択される１つ又は複数の置換基で任意選択で置換されている
請求項１又は２に記載の化合物。
【請求項４】
Ｒａが任意選択で置換されているナフチル基を表す
請求項１又は２に記載の化合物。
【請求項５】
Ｒｂが水素又はアルキルを表す
請求項１から４までのいずれか一項に記載の化合物。
【請求項６】
Ｒｂがフェニル基を表し、
前記フェニル基は、
ハロ、トリフルオロメチル、トリフルオロメトキシ、シアノ及びアルコキシ
からなる群から独立に選択される１つ又は複数の置換基で任意選択で置換されている
請求項１から４までのいずれか一項に記載の化合物。
【請求項７】
４−（３，４−ジクロロ−ベンジル）−４−メトキシメチル−ピペリジン；
［４−（３，４−ジクロロ−ベンジル）−ピペリジン−４−イル］−メタノール；
４−（３，４−ジクロロ−ベンジル）−４−エトキシメチル−ピペリジン；
４−（３，４−ジクロロ−ベンジル）−４−フェノキシメチル−ピペリジン；
４−（２，３−ジクロロ−ベンジル）−４−メトキシメチル−ピペリジン；
４−（３，４−ジクロロ−ベンジル）−４−（２，３−ジクロロ−フェノキシメチル）−ピペリジン；
４−（３，４−ジクロロ−ベンジル）−４−（３，４−ジクロロ−フェノキシメチル）−ピペリジン；
４−ベンジル−４−（３，４−ジクロロ−フェノキシメチル）−ピペリジン；
４−ベンジル−４−（２，３−ジクロロ−フェノキシメチル）−ピペリジン；
４−メトキシメチル−４−ナフタレン−２−イルメチル−ピペリジン；
又は薬剤として許容されるその塩
である請求項１に記載の化合物。
【請求項８】
請求項１〜７までのいずれか一項に記載の化合物、その立体異性体のいずれか若しくはその立体異性体の任意の混合物又は薬剤として許容されるその塩を治療有効量で、少なくとも１種の薬剤として許容される担体、賦形剤又は希釈剤とともに含む医薬組成物。
【請求項９】
中枢神経系におけるモノアミン神経伝達物質再取込みの阻害に応答する、ヒトを含む哺乳動物の疾患若しくは障害又は状態を治療、予防又は緩和するための請求項８に記載の医薬組成物。
【請求項１０】
前記疾患、障害又は状態が、気分障害、うつ病、非定型うつ病、疼痛に続くうつ病、大うつ病性障害、気分変調性障害、双極性障害、双極性障害Ｉ型、双極性障害ＩＩ型、循環病、全身状態に起因する気分障害、物質誘発性気分障害、偽認知症、ガンザー症候群、強迫性障害、パニック障害、広場恐怖症を伴わないパニック障害、広場恐怖症を伴うパニック障害、パニック障害の履歴を伴わない広場恐怖症、パニック発作、記憶障害、記憶喪失、注意欠陥過活動性障害、肥満、不安神経症、全般性不安障害、摂食障害、パーキンソン病、パーキンソニズム、認知症、加齢による認知症、老年性認知症、アルツハイマー病、ダウン症候群、後天性免疫不全症候群認知症複合、加齢に伴う記憶機能障害、特定恐怖症、社会恐怖症、社会不安障害、心的外傷後ストレス障害、急性ストレス障害、薬物依存症、薬物乱用、薬物乱用傾向、コカイン乱用、ニコチン中毒、たばこ乱用、飲酒癖、アルコール依存症、窃盗癖、中毒性物質使用の停止によって引き起こされる禁断症候群、疼痛、慢性疼痛、炎症性痛覚、神経因性疼痛、片頭痛、緊張性頭痛、慢性緊張性頭痛、うつ病に伴う疼痛、線維筋痛、関節炎、変形性関節症、関節リウマチ、背痛、癌性疼痛、過敏性腸症候群、過敏性腸症候群、術後痛、乳房切除後疼痛症候群（ＰＭＰＳ）、脳卒中後疼痛、薬物誘発性神経障害、糖尿病性神経障害、交感神経依存性疼痛、三叉神経痛、歯痛、筋膜痛、幻肢痛、過食症、月経前症候群、月経前不快気分、黄体期晩期症候群、心的外傷症候群、慢性疲労症候群、遷延性植物状態、尿失禁、緊張性尿失禁、急迫性尿失禁、夜尿、性的機能不全、早漏、勃起困難、勃起障害、早期女性オルガスム、下肢静止不能症候群、周期性四肢運動障害、摂食障害、神経性無食欲症、睡眠障害、広汎性発達障害、自閉症、アスペルガー障害、レット障害、小児期崩壊性障害、学習障害、運動能力障害、無言症、抜毛癖、ナルコレプシー、脳卒中後うつ病、脳卒中誘発性脳損傷、脳卒中誘発性神経損傷、ジルドラトゥレット症候群、耳鳴り、チック障害、身体醜形障害、反抗的行為障害又は脳卒中後能力障害である請求項９に記載の医薬組成物。